(57)【要約】【課題】簡単且つ短時間で耐熱性充填材をもって貫通孔を閉塞することのできる貫通孔閉塞具を提供する。【解決手段】長尺物挿通用の貫通孔Ａが形成された構造体Ｗの外側面に対する取り付け部を有し、且つ、長尺物Ｐにおける貫通孔Ａから突出する貫通孔突出部分に外装可能に構成されている環状保持枠１と、この環状保持枠１の内周面と長尺物Ｐの外周面との間に貫通孔Ａの開口Ａ１を閉塞する状態で介在される耐熱性閉塞部材３とが備えられ、環状保持枠１が周方向で複数に分割された分割保持枠体４から構成されている貫通孔閉塞具Ｔにおいて、耐熱性閉塞部材３が、軟質の耐熱性充填材を袋状体に充填して構成され、且つ、少なくとも構造体Ｗの外側面で複数の分割保持枠体４を合体させて環状保持枠１を形成する環状保持枠形成過程において、分割保持枠体４の内周面側に保持されるように構成されている。【選択図】図１
2008095735.tif 000002
【特許請求の範囲】
【請求項１】
長尺物挿通用の貫通孔が形成された構造体の外側面に対する取り付け部を有し、且つ、長尺物における貫通孔から突出する貫通孔突出部分に外装可能に構成されている環状保持枠と、この環状保持枠の内周面と長尺物の外周面との間に貫通孔の開口を閉塞する状態で介在される耐熱性閉塞部材とが備えられ、前記環状保持枠が周方向で複数に分割された分割保持枠体から構成されているとともに、
前記耐熱性閉塞部材が、軟質の耐熱性充填材を袋状体に充填して構成され、且つ、少なくとも構造体の外側面で複数の前記分割保持枠体を合体させて前記環状保持枠を形成する環状保持枠形成過程において、分割保持枠体の内周面側に保持されるように構成されている貫通孔閉塞具。
【請求項２】
前記分割保持枠体の内周面と前記耐熱性閉塞部材の外周面との間には、分割保持枠体と耐熱性閉塞部材とを接合する接合手段が設けられている請求項１記載の貫通孔閉塞具。
【請求項３】
前記耐熱性閉塞部材が、複数の前記分割保持枠体の夫々に対し各別に保持される形態に分割構成されている請求項１又は２記載の貫通孔閉塞具。
【請求項４】
長尺物挿通用の貫通孔が形成された構造体の外側面に対する取り付け部を有し、且つ、長尺物における貫通孔から突出する貫通孔突出部分に外装可能な環状保持枠を周方向に複数に分割して構成された分割保持枠体の内周面に、軟質の耐熱性充填材を袋状体に充填して構成された耐熱性閉塞部材を保持させておき、その耐熱性閉塞部材が保持された状態の複数の分割保持枠体を構造体の外側面において長尺体の貫通孔突出部分の外周面を囲う状態で合体させて前記環状保持枠を形成することにより、環状保持枠の内周面と貫通孔突出部分の外周面との間に貫通孔の開口を閉塞する状態で耐熱性閉塞部材を介在させる貫通孔閉塞工法。
【請求項５】
請求項４記載の貫通孔閉塞工法に用いられる耐熱性閉塞部材であって、
軟質の耐熱性充填材を袋状体に充填して構成されているとともに、少なくとも構造体の外側面で複数の前記分割保持枠体を合体させて前記環状保持枠を形成する環状保持枠形成過程において、分割保持枠体の内周面側に保持されるように構成されている耐熱性閉塞部材。
【発明の詳細な説明】
【技術分野】
【０００１】
本発明は、配管などの長尺物を挿通させるために壁や床や天井などの構造体に形成された貫通孔を、耐熱性充填材でもって長尺物を挿通させた状態のまま閉塞する貫通孔閉塞具、貫通孔閉塞工法及びそれに用いられる耐熱性閉塞部材に関するものである。
【背景技術】
【０００２】
従来、この種の貫通孔閉塞具としては、壁体の外側面に対する取り付け部を有し、且つ、壁体の外側面で配管における貫通孔から突出する貫通孔突出部分に外装可能に構成されている環状保持枠と、この環状保持枠の内周面と配管の外周面との間に貫通孔の開口を閉塞する状態で充填される耐熱性充填材としての防火用パテとが備えられているとともに、環状保持枠が周方向で二分割された２つの分割保持枠体から構成されたものが知られている（下記特許文献１参照）。
【０００３】
そして、この場合、予め配管の貫通孔突出部分に耐熱性充填材を盛り付けて貫通孔を閉塞したのち、この耐熱性充填材を囲う状態で分割保持枠体を合体させて環状保持枠を形成する、或いは、配管の貫通孔突出部分を囲う状態で分割保持枠体を合体させて環状保持枠を形成したのち、分割保持枠体の内周面と長尺物の外周面との間に耐熱性充填材を充填して貫通孔を閉塞するなどの貫通孔閉塞工法を採用していた。
【特許文献１】特開２００３−３５８８２号公報
【発明の開示】
【発明が解決しようとする課題】
【０００４】
ところが、上記の如き従来の貫通孔閉塞具では、作業性の低い耐熱性充填材を扱う難易度の高い充填作業を施工現場で行わなければならず、しかも、その充填作業が分割保持枠体を合体させて環状保持枠を形成する作業とは別作業になることから、耐熱性充填材で貫通孔を閉塞するのに要する手間や時間が多大になる問題があった。
【０００５】
この実情に鑑み、本発明の主たる課題は、簡単且つ短時間で耐熱性充填材をもって貫通孔を閉塞することのできる貫通孔閉塞具、貫通孔閉塞工法及びそれに用いられる耐熱用閉塞部材を提供する点にある。
【課題を解決するための手段】
【０００６】
本発明の第１特徴構成は貫通孔閉塞具に係り、その特徴は、
長尺物挿通用の貫通孔が形成された構造体の外側面に対する取り付け部を有し、且つ、長尺物における貫通孔から突出する貫通孔突出部分に外装可能に構成されている環状保持枠と、この環状保持枠の内周面と長尺物の外周面との間に貫通孔の開口を閉塞する状態で介在される耐熱性閉塞部材とが備えられ、前記環状保持枠が周方向で複数に分割された分割保持枠体から構成されているとともに、
前記耐熱性閉塞部材が、軟質の耐熱性充填材を袋状体に充填して構成され、且つ、少なくとも構造体の外側面で複数の前記分割保持枠体を合体させて前記環状保持枠を形成する環状保持枠形成過程において、分割保持枠体の内周面側に保持されるように構成されている点にある。
【０００７】
上記特徴構成によれば、前記耐熱性閉塞部材が、軟質の耐熱性充填材を袋状体に充填して構成され、且つ、少なくとも構造体の外側面で複数の分割保持枠体を合体させて環状保持枠を形成する環状保持枠形成過程において、分割保持枠体の内周面側に保持されるように構成されているから、耐熱性閉塞部材が保持された状態の複数の分割保持枠体を合体させて環状保持枠を形成することにより耐熱性充填材をもって貫通孔の開口を閉塞することができて、分割保持枠体の内周面と長尺物の外周面との間に軟質の耐熱性充填材を直接充填するといった難易度の高い現場作業を不存にすることができるとともに、環状保持枠の形成と耐熱性充填材による貫通孔の開口の閉塞とを同時に行うことができ、これらのことから、先述の従来の貫通孔閉塞具に比べ、耐熱性充填材をもって貫通孔の開口を閉塞する貫通孔閉塞作業の簡略化と短縮化を図ることができる。
【０００８】
また、軟質の耐熱性充填材が貫通孔の開口を通じて環状保持枠の内周面と長尺物の外周面との間から脱落するのを袋状体でもって防止することができて、その耐熱性充填材の脱落に原因して構造体の耐熱性能が低下するのを効果的に防止することができる。
【０００９】
しかも、環状保持枠形成過程においては、分割保持枠体の内周面側に保持された耐熱性閉塞部材の長尺体周方向中間部が、長尺体との接触に連れて長尺体径方向外側に押し込まれ、その押し込まれる分だけ、耐熱性閉塞部材を構成する袋状体の長尺体周方向端部が、長尺体周方向中央側に引き寄せられる形態で、耐熱性閉塞部材の長尺体周方向端部が長尺体径方向内側に引き寄せられる。
【００１０】
すなわち、耐熱性閉塞部材の長尺体周方向端部を環状保持枠形成過程の進行に連れて自動的に長尺体径方向内側に引き寄せることができて、環状保持枠形成過程において分割保持枠体どうしの間に耐熱性閉塞部材が挟まれることを抑止することができ、これにより、例えば、環状保持枠形成過程において分割保持枠体どうしを合体させる際に、耐熱性閉塞部材が分割保持枠体どうしの間に挟まれないように耐熱性閉塞部材を操作するのに比べ貫通孔閉塞作業の簡略化を図りながらも、耐熱性閉塞部材が分割保持枠体どうしの間に挟まれることで袋状体が破損するのを抑止することができて、破損した袋状体から耐熱性充填材が脱落することに原因して構造体の耐熱性能が低下するのを効果的に抑止することができる。
【００１１】
本発明の第２特徴構成は、第１特徴構成の実施に好適な実施形態を特定するものであり、その特徴は、
前記分割保持枠体の内周面と前記耐熱性閉塞部材の外周面との間には、分割保持枠体と耐熱性閉塞部材とを接合する接合手段が設けられている点にある。
【００１２】
上記特徴構成によれば、接合手段による分割保持枠体と耐熱性閉塞部材との接合により分割保持枠体と耐熱性閉塞部材とを一体的に取り扱うことができるから、例えば、耐熱性閉塞部材と分割保持枠体とを別々に施工現場に搬入して、施工現場で耐熱性閉塞部材を分割保持枠体に保持させる作業を行う場合に比べて現場作業の軽減化を図ることができ、これにより、貫通孔閉塞作業の簡略化と短縮化を一層図ることができるとともに、貫通孔閉塞部材の介在忘れなどの施工不良も効果的に防止することができる。
【００１３】
本発明の第３特徴構成は、第１又は第２特徴構成の実施に好適な実施形態を特定するものであり、その特徴は、
前記耐熱性閉塞部材が、複数の前記分割保持枠体の夫々に対し各別に保持される形態に分割構成されている点にある。
【００１４】
上記特徴構成によれば、例えば、耐熱性閉塞部材が複数の分割保持枠体に跨って保持される形態に構成されている場合に比べて、耐熱性閉塞部材の取り扱い性を向上させることができて、この点で、貫通孔閉塞作業の簡略化を一層図ることができるとともに、施工現場への持ち運びも行い易くすることができる。
【００１５】
本発明の第４特徴構成は貫通孔閉塞工法に係り、その特徴は、
長尺物挿通用の貫通孔が形成された構造体の外側面に対する取り付け部を有し、且つ、長尺物における貫通孔から突出する貫通孔突出部分に外装可能な環状保持枠を周方向に複数に分割して構成された分割保持枠体の内周面に、軟質の耐熱性充填材を袋状体に充填して構成された耐熱性閉塞部材を保持させておき、その耐熱性閉塞部材が保持された状態の複数の分割保持枠体を構造体の外側面において長尺体の貫通孔突出部分の外周面を囲う状態で合体させて前記環状保持枠を形成することにより、環状保持枠の内周面と貫通孔突出部分の外周面との間に貫通孔の開口を閉塞する状態で耐熱性閉塞部材を介在させる点にある。
【００１６】
上記特徴構成によれば、耐熱性閉塞部材が保持された状態の複数の分割保持枠体を合体させて環状保持枠を形成することにより耐熱性充填材をもって貫通孔の開口を閉塞することができるから、分割保持枠体の内周面と長尺物の外周面との間に軟質の耐熱性充填材を直接充填するといった難易度の高い現場作業を不存にすることができるとともに、環状保持枠の形成と耐熱性充填材による貫通孔の開口の閉塞とを同時に行うことができ、これらのことから、先述の従来の貫通孔閉塞工法に比べ、簡単且つ短時間で耐熱性充填材をもって貫通孔の開口を閉塞することができる。
【００１７】
また、軟質の耐熱性充填材が貫通孔の開口を通じて環状保持枠の内周面と長尺物の外周面との間から脱落するのを袋状体でもって防止することができて、耐熱性充填材の脱落により貫通孔の開口の閉塞率が不十分になるなどの施工不良も効果的に抑止することができる。
【００１８】
しかも、環状保持枠形成過程においては、分割保持枠体の内周面側に保持された耐熱性閉塞部材の長尺体周方向中間部が、長尺体との接触に連れて長尺体径方向外側に押し込まれ、その押し込まれる分だけ、耐熱性閉塞部材を構成する袋状体の長尺体周方向端部が、長尺体周方向中央側に引き寄せられる形態で、耐熱性閉塞部材の長尺体周方向端部が長尺体径方向内側に引き寄せられる。
【００１９】
すなわち、耐熱性閉塞部材の長尺体周方向端部を環状保持枠形成過程の進行に連れて自動的に長尺体径方向内側に引き寄せることができて、環状保持枠形成過程において分割保持枠体どうしの間に耐熱性閉塞部材が挟まれることを抑止することができ、これにより、例えば、環状保持枠形成過程において分割保持枠体どうしを合体させる際に、耐熱性閉塞部材が分割保持枠体どうしの間に挟まれないように耐熱性閉塞部材を操作するのに比べて簡単に貫通孔の開口を閉塞することができながらも、耐熱性閉塞部材が分割保持枠体どうしの間に挟まれることで袋状体が破損するのを抑止することができて、破損した袋状体から耐熱性充填材が脱落することに原因して貫通孔の開口の閉塞率が不十分になるなどの施工不良を効果的に抑止することができる。
【００２０】
本発明の第５特徴構成は耐熱性閉塞部材に係り、その特徴は、
請求項４記載の貫通孔閉塞工法に用いられる耐熱性閉塞部材であって、
軟質の耐熱性充填材を袋状体に充填して構成されているとともに、少なくとも構造体の外側面で複数の前記分割保持枠体を合体させて前記環状保持枠を形成する環状保持枠形成過程において、分割保持枠体の内周面側に保持されるように構成されている点にある。
【００２１】
上記特徴構成によれば、複数の分割保持枠体を合体させて環状保持枠を形成することにより耐熱性充填材をもって貫通孔の開口を閉塞することができて、貫通孔の開口を閉塞する際に分割保持枠体の内周面と長尺物の外周面との間に軟質の耐熱性充填材を直接充填するといった難易度の高い現場作業を不存にすることができるとともに、環状保持枠の形成と耐熱性充填材による貫通孔の開口の閉塞とを同時に行うことができて、耐熱性充填材をもって貫通孔の開口を閉塞する貫通孔閉塞作業の簡略化と短縮化を図ることが可能になる。
【００２２】
また、軟質の耐熱性充填材が貫通孔の開口を通じて環状保持枠の内周面と長尺物の外周面との間から脱落するのを袋状体でもって防止することができて、その耐熱性充填材の脱落に原因して構造体の耐熱性能が低下するのを効果的に防止することができる。
【００２３】
しかも、環状保持枠形成過程においては、分割保持枠体の内周面側に保持された長尺体周方向中間部が、長尺体との接触に連れて長尺体径方向外側に押し込まれ、その押し込まれる分だけ、袋状体の長尺体周方向端部が長尺体周方向中央側に引き寄せられる形態で、長尺体周方向端部が長尺体径方向内側に引き寄せられる。
【００２４】
すなわち、長尺体周方向端部を環状保持枠形成過程の進行に連れて自動的に長尺体径方向内側に引き寄せることができて、環状保持枠形成過程において分割保持枠体どうしの間に挟まれることを抑止することができ、これにより、例えば、環状保持枠形成過程において分割保持枠体どうしを合体させる際に分割保持枠体どうしの間に挟まれないように操作するのに比べて貫通孔閉塞作業の簡略化を図りながらも、分割保持枠体どうしの間に挟まれることで袋状体が破損するのを抑止することができて、破損した袋状体から耐熱性充填材が脱落することに原因して構造体の耐熱性能が低下するのを効果的に抑止することができる。
【発明を実施するための最良の形態】
【００２５】
図１〜図８は、配管Ｐ（長尺物の一例）を挿通させるために壁体Ｗ（構造体の一例）に形成された貫通孔Ａを、耐熱性充填材Ｃをもって配管Ｐを挿通させた状態のまま閉塞するのに使用される貫通孔閉塞具Ｔを示し、この貫通孔閉塞具Ｔは、長尺物挿通用の貫通孔Ａが形成された壁体Ｗに対する取り付け部２を有し、且つ、壁体Ｗの外側面で配管Ｐにおける貫通孔Ａから突出する貫通孔突出部分に外装可能に構成されている環状保持枠１と、この環状保持枠１の内周面と配管Ｐの外周面との間に貫通孔Ａの開口Ａ１を閉塞する状態で介在される耐熱性閉塞部材３とが備えられている。
【００２６】
前記環状保持枠１は、配管Ｐの周方向で複数に分割された複数（本例では二つ）の同形状の分割保持枠体４、４を略ハの字状の開き姿勢と環状の閉じ姿勢とに姿勢変更自在に連結して構成されており、詳しくは、一方の分割保持枠体４の一端部５と他方の分割保持枠体４の他端部６とが配管Ｐの周方向から係止自在な状態で、一方の分割保持枠体４の他端部６と他方の分割保持枠体４の他端部５とを配管Ｐの軸芯と平行の軸芯周りで回動自在に連結して構成されている。
【００２７】
前記分割保持枠体４の各々は、上端側ほど外径が減少する湾曲形状の側面断面形状を有する正面視略半リング形状の周壁部４Ａと、その周壁部４Ａの上端部から内向きに突出された正面視略半リング形状の天井壁部４Ｂとを有しており、一端部５における周壁部４Ａの下端には、中央部に挿通孔５ａが形成された被係止片５Ａが連結方向（つまり、配管Ｐの周方向）に突出されているとともに、他端部６における周壁部４Ａの下端には、中央部に前記挿通孔５ａに嵌合可能な下向き突出形状の縁部を有する筒状挿通孔６ａが形成された係止片６Ａが連結方向に突出されている。
【００２８】
つまり、分割保持枠体４は、一方の分割保持枠体４の一端部５と他方の分割保持枠体４の他端部６とを夫々対向させた姿勢において、一端部５における被係止片５Ａの挿通孔５ａに対し他端部６における係止片６Ａの筒状挿通孔６ａを夫々嵌合させることにより、分割保持枠体４、４どうしを合体させる状態で、一方の分割保持枠体４の一端部５の被係止片５Ａと他方の分割保持枠体４の他端部６の係止片６Ａとを夫々係止させて、前記環状保持枠１を形成できるように構成されている。
【００２９】
そして、上述の如く、分割保持枠体４、４どうしを合体させた状態において、嵌合状態にある係止片６Ａの筒状挿通孔６ａと被係止片５Ａの挿通孔５ａとの連通により形成される複数（本例では２つ）の連通孔２ａをもって、環状保持枠１を壁体Ｗに対しコンクリートネジＫで取り付け可能な前記取り付け部２が構成されている。
【００３０】
また、分割保持枠体４の他端部６における天井壁部４Ｂには、係止凸部６ｂを有する補助係止片６Ｂが連結方向に突出されているとともに、一端部５における天井壁部４Ｂの下面には、前記係止凸部６ｂに対する被係止凹部５ｂを有する補助係止受け部５Ｂが構成されており、分割保持枠体４、４を合体させた状態での補助係止受け部５Ｂと補助係止片６Ｂとの係止をもって、前記被係止片５Ａと係止片６Ａによる分割保持枠体４、４どうしの係止状態が解除されるのを抑止するように構成されている。
【００３１】
そして、環状保持枠１の連通孔２ａを形成する筒状挿通孔６ａと挿通孔５ａとを連通孔２ａに対する連通状態で回動自在に止着可能なハトメ７を一方の連通孔２ａに打つことにより、分割保持枠体４、４が連結一体化されている。
【００３２】
なお、８は、コンクリートネジＫを取付け部２に臨ませやすくするために分割保持枠体４の周壁部４Ａの両端部５、６に形成された凹設部である。
【００３３】
前記耐熱性閉塞部材３は、軟質の耐熱性充填材Ｃを袋状体９に充填して構成され、且つ、少なくとも壁体Ｗの外側面で複数の分割保持枠体４、４を合体させて環状保持枠１を形成する環状保持枠形成過程において、分割保持枠体４、４の内周面側に保持されるように構成されているとともに、分割保持枠体４、４の夫々に対し格別に保持される形態に分割構成されている。
【００３４】
具体的には、耐熱性閉塞部材３は、分割保持枠体４の内周面側に保持させた状態において分割保持枠体４の両端部５、６を結ぶ直線から内側の略半円状の空間を閉塞可能な十分な量の耐熱性充填材ＣをＰＥ等で構成された袋状体９に充填して構成されており、上記環状保持枠形成過程において分割保持枠体４の周壁部４Ａに押圧された際に、分割保持枠体４の周壁部４Ａと天井壁部４Ｂ及び壁体Ｗの外側面とで囲われた状態で壁体Ｗの外側面に対し袋状体９の下面を滑動させながら、分割保持体４の内周面側に保持されるように構成されている。
【００３５】
前記分割保持枠体４の内周面（つまり、周壁部４Ａと天井壁部４Ｂの内面）と耐熱性閉塞部材３の外周面（つまり、袋状体９の外周面）との間には、分割保持枠体４と耐熱性閉塞部材３とを接合する接合手段としての両面貼着テープ１０が設けられており、この両面貼着テープ１０による貼着をもって、分割保持枠体４と耐熱性閉塞部材３とが一体的に取り扱えるように構成されている。
【００３６】
なお、袋状体９に充填する耐熱性充填材Ｃとしては、本例では、ちょう度（ＪＩＳ Ｋ ２２２０に規定）１５０〜３００程度の防火用パテを採用している。
【００３７】
次に、前記貫通孔閉塞具Ｔを用いて貫通孔Ａの開口Ａ１を閉塞する貫通孔閉塞工法について説明する。
（イ）閉塞具配置工程
まず、壁Ｗに形成された貫通孔Ａに配管Ｐを挿通させた段階において、貫通孔閉塞具Ｔをハの字状の開き姿勢で、配管Ｐの貫通孔突出部分が貫通孔閉塞具Ｔの中央に位置するように壁Ｗの外側面に配置する（図３の状態）。
【００３８】
（ロ）環状保持枠形成工程
貫通孔閉塞具Ｔが壁Ｗの外側面に配置された段階で、壁Ｗの外側面で貫通孔閉塞具Ｔの分割保持枠体４、４をハの字状の開き姿勢から環状の閉じ姿勢に変更操作して、配管Ｐの貫通孔突出部分の外周面を囲う状態で合体させて環状保持枠１を形成する（図４の状態）。
【００３９】
この環状保持枠形成工程では、図６、図７、図８にその順で段階的に示すように、分割保持枠体４の内周面側に保持された耐熱性閉塞部材３の配管Ｐ周方向中間部が配管Ｐとの接触に連れて配管Ｐ径方向外側に徐々に押し込まれ、その押し込まれる分だけ、耐熱性閉塞部材３を構成する袋状体９の配管Ｐ周方向端部が、配管Ｐ周方向中間部側に引き寄せられる形態で、耐熱性閉塞部材３の配管Ｐ周方向端部が配管Ｐ径方向内側に引き寄せられ、分割保持枠体４，４どうしの間に耐熱性閉塞部材３が挟まれることが自動的に抑止される。
【００４０】
（ハ）閉塞具取付工程
前記環状保持枠１を形成した段階で、コンクリートネジＫ、Ｋを貫通孔閉塞具Ｔの取付け部２、２の連通孔２ａ、２ａに夫々挿入する状態で壁Ｗの外側面に螺入して、環状保持枠１を壁体Ｗの外周面に取り付け固定する。
【００４１】
以上、要するに、本発明の貫通孔閉塞具Ｔは、貫通孔Ａの開口Ａ１を閉塞する際に、環状保持枠１の内周面と配管Ｐの外周面との間に軟質の耐熱性充填材９を直接充填するといった難易度の高い現場作業を不存にすることができるとともに、環状保持枠４の形成と耐熱性閉塞部材３による貫通孔Ａの開口Ａ１の閉塞とを同時に行うことができて、貫通孔閉塞作業の簡略化と短縮化を図ることができる。
【００４２】
また、軟質の耐熱性充填材Ｃが貫通孔Ａの開口Ａ１を通じて環状保持枠１の内周面と配管Ｐの外周面との間から脱落するのを袋状体９でもって防止することができて、その耐熱性充填材Ｃの脱落に原因して壁体Ｗの耐熱性能が低下するのを効果的に防止することができる。
【００４３】
しかも、上述の如く、分割保持枠体４、４どうしの間に耐熱性閉塞部材３が挟まれるのを自動的に抑止することができて、貫通孔閉塞作業の簡略化を図りながらも、分割保持枠体４、４どうしの間に挟まれることで耐熱性閉塞部材３の袋状体９が破損するのを抑止することができて、破損した袋状体９から耐熱性充填材Ｃが脱落することに原因して壁体Ｗの耐熱性能が低下するのを効果的に抑止することができる。
【００４４】
〔その他の実施形態〕
（１）前述の実施形態では、分割保持枠体４の内周面と耐熱性閉塞部材３の外周面との間に分割保持枠体４と耐熱性閉塞部材３とを接合する接合手段として、両面貼着テープを設ける場合を例に示したが、接着剤、面ファスナー、ボルト、釘などを前記接合手段として設ける構成にしてもよい。
【００４５】
（２）前述の実施形態では、分割保持枠体４と耐熱性閉塞部材３とを接合手段により接合する場合を例に示したが、分割保持枠体４と耐熱性閉塞部材３とを接合しなくてもよい。
【００４６】
（３）前述の実施形態では、耐熱性閉塞部材３を複数の分割保持枠４、４の夫々に格別に保持される形態に分割構成する場合を例に示したが、分割しないで複数の分割保持枠４、４に跨って保持される形態に構成してもよい。
【００４７】
（４）前述の実施形態では、袋状体９に充填する耐熱性充填材Ｃとして、ちょう度１５０〜３００程度の防火用パテを例に示したが、これに限らず、種々のちょう度の防火用パテであってもよく、或いは、防火用パテ以外のシール部材などであってもよい。
【００４８】
（５）分割保持枠体４への分割数や分割保持枠体４の連結形態（或いは、合体形態）などの環状保持枠１の具体的構成は、前述の実施形態で示した如き構成に限られるものではなく、種々の構成変更が可能である。
【００４９】
（６）前述の実施形態では、複数の分割保持枠体４どうしが連結一体化されている場合を例に示したが、複数の分割保持枠体４が連結されていなくてもよい。
【図面の簡単な説明】
【００５０】
【図１】本発明に係る貫通孔閉塞具の分解斜視図
【図２】本発明に係る貫通孔閉塞具の開き姿勢を示す斜視図
【図３】本発明に係る貫通孔閉塞具の開き姿勢を示す正面図
【図４】本発明に係る貫通孔閉塞具の閉じ姿勢を示す正面図
【図５】図４のＶ−Ｖ断面図
【図６】環状保持枠形成工程の始期段階を示す正面断面図
【図７】環状保持枠形成工程を途中段階を示す正面断面図
【図８】環状保持枠形成工程の完了段階を示す正面断面図
【符号の説明】
【００５１】
Ｗ          構造体（壁体）
Ｐ          長尺物（配管）
Ａ          貫通孔
Ａ１        貫通孔の開口
Ｔ          耐熱性閉塞部材
１          環状保持枠
２          取り付け部
４          分割保持枠体
Ｃ          耐熱性充填材
９          袋状体
１０        接合手段（両面貼着テープ）
【図１】
2008095735.tif 000003
【図２】
2008095735.tif 000004
【図３】
2008095735.tif 000005
【図４】
2008095735.tif 000006
【図５】
2008095735.tif 000007
【図６】
2008095735.tif 000008
【図７】
2008095735.tif 000009
【図８】
2008095735.tif 000010